(57)【特許請求の範囲】
【請求項１】
地板と、該地板上に配置された時計用モーター、付加機能用モーター、発電用モーターと、該各モーターにより駆動する輪列と、前記発電用モーターからの電力を蓄電するための蓄電器とを備え、前記各モーターと前記蓄電器は、前記地板の外周側に配置されるとともに、前記発電用モーターと前記蓄電器は隣接せずに時計中心を挟んで対向位置に配置され、前記時計用モーターと前記付加機能用モーターによって駆動する輪列は、前記各モーターの棒状コイルと前記蓄電器とによって囲まれた領域内に配置され、さらに前記付加機能を制御するためのレバー部材を備えており、該レバー部材は、前記発電用モーターと平面的に重なる位置に配置していることを特徴とする自動巻発電時計の構造。
【請求項２】
前記レバー部材は前記発電用モーターを平面的に覆う樹脂製の時計構成部品によって保持されており、該時計構成部品は、前記発電用モーターと平面的に重なる位置に該レバー部材の回転中心となる軸部を有していることを特徴とする請求項1記載の自動巻発電時計の構造。
【発明の詳細な説明】
【０００１】
【発明の属する技術分野】
本発明は付加機能付発電時計に関するものである。
【０００２】
【従来の技術】
近年、回転錘から得られる機械的エネルギーを電気エネルギーに変換する自動巻発電装置を搭載した電子式腕時計が開発されているが、これらの時計構造においては特開平7-333360号公報 や 特開平5-323051号公報に見られるように発電効率を良くするために発電モーターを細く、長く形成する必要が生じ、これにより地板上に占める面積が大きくなってしまい、他の構成部品を配置する平面的なスペースの余裕がない状態である。
【０００３】
【発明が解決しようとする課題】
一方、自動巻発電装置を搭載した電子式腕時計が次第に普及していくにしたがい、通常の時刻表示機能以外の付加機能をもたせた多機能自動巻発電時計をのぞむ要請が出てきつつあるが、前述のとおり付加機能を持たせるための追加構成部品等を容易に配置することの困難性から、現在までのところ製品化は実現されていない。
【０００４】
本発明の目的は上記課題を解決しようとするもので、付加機能を有する自動巻き発電時計のスペ−ス効率の良い、配置構造を提供することにある。
【０００５】
【課題を解決するための手段】
前記目的を達成するための本発明の構成は、地板と、該地板上に配置された時計用モーター、付加機能用モーター、発電用モーターと、該各モーターにより駆動する輪列と、前記発電用モーターからの電力を蓄電するための蓄電器とを備え、前記各モーターと前記蓄電器は、前記地板の外周側に配置されるとともに、前記発電用モーターと前記蓄電器は隣接せずに時計中心を挟んで対向位置に配置され、前記時計用モーターと前記付加機能用モーターによって駆動する輪列は、前記各モーターの棒状コイルと前記蓄電器とによって囲まれた領域内に配置され、さらに前記付加機能を制御するためのレバー部材を備えており、該レバー部材は、前記発電用モーターと平面的に重なる位置に配置していることを特徴としている。
【００１０】
また、レバー部材は発電用モーターを平面的に覆う樹脂製の時計構成部品によって保持されており、該時計構成部品は、発電用モーターと平面的に重なる位置に該レバー部材の回転中心となる軸部を有していることを特徴とする。
【００１１】
【発明の実施の形態】
以下本発明を図によって説明する。図１は本発明の一実施形態による自動巻発電時計を裏蓋側から見た平面図である。図１において地板４に植設されているチューブ（図示せず）等により時計用モーター１および付加機能としてのクロノグラフ用モーター２、発電用モーター３が平面位置決めされ、ネジ止めによって固定されており、また、他部品についても同様の固定方法か、あるいは間接的に地板４に支持されている。時計中心において時刻およびクロノグラフ機能の表示を行うために、全体の配置として時計用モーター１およびクロノグラフ用モーター２から時計中心方向へ輪列８ａ、８ｂにより歯車の動きを伝達しなければならないが、各モーターは相互に磁気的に悪影響を及ぼすことのないようにできるだけ離して配置する必要があるため、時計用モーター１、クロノグラフ用モーター２、発電用モーター３は、それぞれの棒状コイル１ａ、２ａ、３ａの延長線が略三角形の一辺を形成するように地板４の外周付近に配置されている。なお、発電モーター３と畜電器７は平面サイズが大きいため隣接させずに、時計中心を挟んで対向位置に配置されている。以上のような配置により、各モーターの棒状コイルが略三角形の一辺を形成するように配置され、更に発電モーター３と時計用モーター１の端部同士を結ぶ領域に裏回り部材６が配置され、時計用モーター１とクロノグラフ用モーター２の端部同士を結ぶ領域に畜電器７が配置されている。そして、このような配置をとることにより平面積を極力大きくしないで最適な配置構造をとることができる。
【００１２】
具体的に示すと、時計用モーター１と発電用モーター３の棒状コイル１ａ、３ａの端部を結ぶ領域には外部操作部材である巻真５の動作を制御する裏回り部材６が配置され、また時計用モーター１とクロノグラフ用モーター２の棒状コイル１ａ，２ａの端部を結ぶ領域には畜電器７が配置され、前述の３つのモーターの略三角形の配置を生かした配置になっている。
【００１３】
また本実施の形態では、時計用モーター１およびクロノグラフ用モーター２によって駆動する輪列８は、時計用モーター１、クロノグラフ用モーター２、発電用モーター３の３つのモーターの棒状コイルと、蓄電池７および裏回り部材６に囲まれた領域の中に配置され、それぞれの輪列は、地板４の平面サイズの外周部付近に配置されているおのおののモーターから時計中心部方向に時刻表示用の歯車作動およびクロノグラフ用の歯車作動を伝達している。なお、図２（Ａ）（Ｂ）に示すように時刻表示用の輪列８ａ、クロノグラフ用の輪列８ｂの断面位置は、時計用モーター１から時計中心方向へ歯車作動が伝達される輪列８ａについては、その上側の軸が中受２５の穴に係合支持され、下側の軸が地板４の穴に係合支持されている。また、クロノグラフ用モーター２から時計中心方向へ歯車作動が伝達されるクロノグラフ用の輪列８ｂについては、その下側の軸が中受２５の穴に係合支持され、上側の軸が中受２５の穴に係合支持されている。また、発電輪列１２については、その下側の軸が中受２５の穴に係合支持され、上側の軸が輪列受２６の穴に係合支持される配置になっており、これら３種類の輪列は平面的、断面的に互いに干渉しない配置構造となっている。
【００１４】
また、発電用モーターの断面的な高さ位置については単純に考えると、発電用モーターと発電用輪列を通常の時計モジュールに上乗せして配置することが考えられるが、そのような配置にした場合、時計構造全体が厚くなってしまうため近年の薄型化の要請に逆行する性質をもつことになる。
【００１５】
それに対して本発明は図１のような平面配置を採用することによって、発電用モーター３の棒状コイルの断面高さ位置を時計用モーター１およびクロノグラフ用モーター２の棒状コイルの断面高さ位置と略同じに設定できるので、発電モーター３や発電輪列１２などの発電機構を既存の時計構造の厚さ内に収めることができる。
【００１６】
次に図３はクロノグラフ機能を制御するためのレバー部材と発電用モーターの位置を示す平面図で、図６は図３の部分断面図である。図３においてプッシュボタンＡ１３を押すことによりスイッチ板２２のスイッチ部２２ａがスイッチパターン（図示せず）に接触することで電気的なスイッチが入り、クロノグラフ機能が作動する。そして、次にプッシュボタンＢ１４を押すことによりスイッチ板２２のスイッチ部２２ａを介してクロノグラフレバーＡ１８が押され、クロノグラフレバーＡ１８はレバー回転中心１６を中心に左回り方向に回転する。そして、その穴形状がクロノグラフレバーＢ１５に設けられた軸状の係合部１５ａに係合しているためクロノグラフレバーＢ１５に回転力が伝達され、レバー回転中心１６を中心に右回りに回転する。そして、クロノグラフレバーＢ１５のもう一方の係合部１５ｂがクロノグラフレバーＣ１７の穴形状に係合しているため回転力が伝達され、クロノグラフレバーＣ１７がレバー回転中心１６を中心に左回り方向に回転し、そのハートカム押え部１７ａがハートカム２４を押え、ハートカムと一体になっているクロノグラフ用の指針（図示せず）を０表示位置に戻す動作を行うことになる。なお、図示する３つのクロノグラフレバーＡ１８、Ｂ１５、Ｃ１７は発電用モーター３を覆うように上部に位置する樹脂製部品によって支持されており、クロノグラフレバーＡ１８やクロノグラフレバーＢ１５はその平面形状の一部が発電用モーター３の平面位置と重なっているため発電用モーターを配置したことによる新たな平面スペースを要していない。
【００１７】
図６は、図３のレバー部材の回転中心と発電用モーターとの位置関係を示す断面図である。図６においてレバー回転中心１６は地板４に植設されており、発電用モーター３の平面位置はこのレバー回転中心１６の平面位置と重ならない位置へ配設している。
【００１８】
これに対し、図４、図５に他の実施形態を示す。図４はクロノグラフ機能を制御するためのレバー部材と発電用モーターの位置を示す平面図、図５は図４のレバー部材の回転中心と発電用モーターとの位置関係を示す断面図である。図４において、レバー回転中心２０は平面位置が発電用モーター３と重なっている配置になっている。図５に示すように発電用モーター３の上には支持台２１が配設されており、レバー回転中心２０は樹脂製の支持台２１に植設され、発電用モーター３とレバー回転中心２０を重ねて配設できる。この配置関係により図６のように発電用モーター３とレバー回転中心２０の平面位置を重ならないように配置する必要がない。
【００１９】
【発明の効果】
以上のように、本発明によれば各モーター同士が近接することによる悪影響を防止することが出来、さらに裏回り部品、畜電器、輪列等の他の部品の効率的な配置構造が可能である。また、各モーターの断面位置を略同じに設定することによって時計構造の薄型化をはかることが可能であり、また、クロノグラフレバーとレバー回転中心を発電モーターと平面的に重ねた配置にすることにより発電モーターの効率的な配置が可能である。
【図面の簡単な説明】
【図１】本発明の第１実施形態を示す付加機能付発電時計の平面図である。
【図２】各モーター断面位置の実施形態を示す発電時計の部分断面図である。
【図３】本発明の付加機能レバーと発電モーターの平面配置の実施形態を示す平面図である。
【図４】本発明のレバー回転中心と発電モーターの平面配置の実施形態を示す平面図である。
【図５】本発明のレバー回転中心と発電モーターの配置の実施形態を示す断面図である。
【図６】レバー回転中心と発電モーターの配置の従来例を示す断面図である。
【符号の説明】
１  時計用モーター
２  クロノグラフ用モーター
３  発電用モーター
４  地板
５  巻真
６  裏回り部材
７  蓄電池
８ａ，８ｂ  輪列
１２  発電輪列
１３  プッシュボタンＡ
１４  プッシュボタンＢ
１５、１９  クロノグラフレバーＢ
１５ａ  係合部
１６、２０  レバー回転中心
１７  クロノグラフレバーＣ
１７ａ  ハートカム押え部
１８  クロノグラフレバーＡ
２１  支持台
２２  スイッチ板
２２ａ  スイッチ部
２３  クロノグラフ歯車
２４  ハートカム
２５  中受
２６  輪列受
【図１】
0004293477.tif 000002
【図２】
0004293477.tif 000003
【図３】
0004293477.tif 000004
【図４】
0004293477.tif 000005
【図５】
0004293477.tif 000006
【図６】
0004293477.tif 000007